(57)【特許請求の範囲】
【請求項１】
被設置面に設けられた被装着部に接続される装着部を備えた電気器具であって、
前記装着部を有するアダプタと、
前記アダプタを前記被設置面に固定する取付部材と、
前記アダプタに着脱可能に装着される本体部と、
前記本体部と前記アダプタとの間、および前記本体部と前記取付部材との間のうちの少なくとも一方を施錠する施錠部材とを備えていることを特徴とする電気器具。
【請求項２】
前記取付部材は、前記アダプタを支持する支持部材としての機能を有していることを特徴とする請求項１に記載の電気器具。
【請求項３】
前記装着部は口金であり、前記被装着部は前記口金が装着されるソケットであることを特徴とする請求項２に記載の電気器具。
【請求項４】
前記被装着部は、前記装着部の口金よりも小口径のソケットであり、
前記装着部は口金のサイズを変換するための口金変換アダプタを介して前記被装着部に装着されることを特徴とする請求項３に記載の電気器具。
【請求項５】
前記取付部材は、被設置面に取り付けられる取付部と、前記取付部と前記アダプタとを接続する接続部とを備えており、
前記接続部は、前記取付部に固定されているか、あるいは前記取付部と一体的に形成されていることを特徴とする請求項１から４のいずれか１項に記載の電気器具。
【発明の詳細な説明】
【技術分野】
【０００１】
本発明は、天井、壁、床、各種装置等に設けられた被装着部に装着される電気器具であって、盗難防止機構を備えた電気器具に関するものである。
【背景技術】
【０００２】
従来、天井、壁、床、各種装置等の被設置面に取り付けられたソケットやローゼット等の被装着部に着脱可能に装着される電気器具（例えば電球等）が知られている。
【０００３】
これらの電気器具は、一般に、交換や清掃等を容易に行えるように、被装着部に対して容易に着脱可能な構成になっている。
【０００４】
ところが、被装着部に対して容易に着脱可能な構成である場合、例えば飲食店や商業施設等の不特定多数の人が利用する公共施設に設置した場合に、盗難されやすいという問題がある。
【０００５】
特に、近年、従来の白熱電球等に比べて比較的高価な電気器具（例えば、ＬＥＤ電球、あるいは空気清浄機能やイオン放出機能などを備えた電気器具など）の普及が進んでいることから、盗難防止の必要性が増している。
【０００６】
なお、特許文献１には、ＬＥＤ電球の盗難を防止するために、ＬＥＤ電球の筐体部にチェーンやワイヤなどを装着するためのフック型、ネジ穴、もしくは通し穴を設けた構成が開示されている。
【先行技術文献】
【特許文献】
【０００７】
【特許文献１】特開２０１３−５５０２３号公報（２０１３年３月２１日公開）
【発明の概要】
【発明が解決しようとする課題】
【０００８】
しかしながら、上記特許文献１の技術では、一定の盗難防止効果が得られるものの、チェーンやワイヤなどを切断あるいは取り外すことにより盗難されてしまう場合がある。
【０００９】
本発明は、上記の問題点に鑑みて成されたものであり、その目的は、被設置面に設置された被装着部に装着される電気器具の盗難をより効果的に防止することにある。
【課題を解決するための手段】
【００１０】
本発明の一態様にかかる電気器具は、被設置面に設けられた被装着部に接続される装着部を備えた電気器具であって、前記装着部を有するアダプタと、前記アダプタを前記被設置面に固定する取付部材と、前記アダプタに着脱可能に装着される本体部と、前記本体部と前記アダプタとの間、および前記本体部と前記取付部材との間のうちの少なくとも一方を施錠する施錠部材とを備えていることを特徴としている。
【発明の効果】
【００１１】
上記の構成によれば、前記本体部と前記アダプタとの間、および前記本体部と前記取付部材との間のうちの少なくとも一方を施錠部材により施錠することにより、電気器具が盗難されるリスクを低減することができる。
【図面の簡単な説明】
【００１２】
【図１】本発明の実施形態１にかかるイオン発生装置の側面図である。
【図２】図１に示したイオン発生装置の底面図である。
【図３】図１に示したイオン発生装置の断面図である。
【図４】図１に示したイオン発生装置に備えられる本体部の斜視図である。
【図５】図１に示したイオン発生装置における本体部とアダプタとの接続部の側面図である。
【図６】図１に示したイオン発生装置に備えられる本体部の斜視図である。
【図７】（ａ）は本発明の他の実施形態にかかるイオン発生装置の上面図であり、（ｂ）はその側面図であり、（ｃ）はその底面図である。
【図８】本発明のさらに他の実施形態にかかるイオン発生装置の斜視図である。
【図９】（ａ）は本発明の他の実施形態にかかるイオン発生装置における口金変換アダプタを装着する前の状態を示す側面図であり、（ｂ）は当該イオン発生装置における口金変換アダプタを装着した状態を示す側面図である。
【発明を実施するための形態】
【００１３】
〔実施形態１〕
本発明の一実施形態について説明する。
【００１４】
（１−１．イオン発生装置１００の全体構成）
図１は本実施形態にかかるイオン発生装置（電気器具）１００の側面図であり、図２はイオン発生装置１００の底面図である。
【００１５】
図１および図２に示したように、イオン発生装置１００は、本体部１０、アダプタ２０、および取付部材３０を備えている。
【００１６】
本体部１０は、アダプタ２０に対して着脱可能に装着されている。なお、本体部１０のアダプタ２０に対する着脱部の構成および着脱方法の詳細については後述する。
【００１７】
アダプタ２０は、軸方向の一端側から他端側に向かって直径が次第に減少していくテーパ形状を有しており、外周面には周方向に沿って略等間隔で３か所に径方向外側に突出したリブ２２が設けられている。
【００１８】
リブ２２はアダプタ２０の外周面に沿って軸方向に延伸する形状を有しており、延伸方向に沿って複数の接続穴２２ａが設けられている。
【００１９】
アダプタ２０における軸方向の一端側には本体部１０が着脱可能に装着されるようになっており、他端側には口金（装着部）２１が取り付けられている。この口金２１を天井、壁、床、各種装置等の被設置面に設けられたソケット（被装着部）に取り付けることにより、イオン発生装置１００は上記被設置面に取り付けられるとともに、電力が供給される。なお、本実施形態では、Ｅ２６型の口金２１を用いているが、口金のサイズや形状はこれに限るものではない。また、本実施形態では、イオン発生装置１００を被設置面に設けられたソケットに取り付ける構成について説明するが、これに限らず、ソケット以外の被装着部（例えばローゼットタイプの被装着部など）に取り付ける構成としてもよい。
【００２０】
取付部材（支持部材）３０は、中央部がくり抜かれた円板状のリング部材（取付部）３３と、リング部材３３の一方の面における周方向に沿って略等間隔で３か所に取り付けられたリブ３４と、リブ３４に取り付けられたアングル部材（接続部）３１とを備えている。なお、本実施形態では、取付部材３０にアングル部材３１が３つ備えている構成について説明するが、アングル部材３１の数はこれに限るものではなく、１つであってもよく、２つであってもよく、４つ以上であってもよい。
【００２１】
また、リング部材３３には周方向に沿って等間隔で６か所に一方の面から他方の面に貫通する取付穴３２が設けられている。この取付穴３２を用いて天井等の被設置面にネジや釘等により、取付部材３０は被設置面に取り付けられる。なお、取付穴３２の個数は特に限定されるものでなく、適宜変更してもよい。
【００２２】
アングル部材３１の一端側は取付部材３０のリブ３４に取り付けられ、他端側はアダプタ２０のリブ２２に取り付けられている。
【００２３】
具体的には、アングル部材３１の一端側は、アングル部材３１の一端側に設けられた穴と取付部材３０のリブ３４に設けられた穴とにネジ、ボルト、あるいはピン等の接続部材を通すことにより、リブ３４に取り付けられている。あるいは、アングル部材３１は取付部材３０と一体的に形成されていてもよく、取付部材３０に溶接等により固定されていてもよい。
【００２４】
また、アングル部材３１の他端側は、アングル部材３１の他端側に設けられた穴とアダプタ２０のリブ２２に設けられた接続穴２２ａとにネジ、ボルト、あるいはピン等の接続部材を通すことにより、リブ２２に取り付けられている。
【００２５】
なお、上述したように、アダプタ２０の各リブ２２には、軸方向に沿って複数の接続穴２２ａが設けられており、それら複数の接続穴２２ａのうちのいずれかを選択してアングル部材３１が取り付けられるようになっている。これにより、天井等の被設置面に対するソケットの取付位置（被設置面に対する取付高さ）が設置環境毎に異なる場合や、被設置面が水平ではない場合などであっても、アダプタ２０と取付部材３０とを適切に接続するとともに、アダプタ２０を支持して接続部（被装着部、装着部、およびそれらの周辺部材）に作用する負荷を軽減できるようになっている。
【００２６】
また、接続穴２２ａを軸方向に延伸する長穴（スリット）とし、この長穴における適切な位置にアングル部材３１を取り付けるようにしてもよい。また、アングル部材３１を、リブ３４およびリブ２２に対して上記の接続部材を軸として回転可能に取り付けてもよい。これにより、取付部材３０に対するアダプタ２０の相対位置を容易に調整することができる。
【００２７】
図３は、本体部１０の断面図である。この図に示すように、本体部１０は、ケース１０ａ、イオン発生器５２、ファン５３、および照明装置６０を備えている。
【００２８】
ケース１０ａは、略円筒形状を有しており、その内部にイオン発生器５２、ファン５３、および照明装置６０を収容している。また、ケース１０ａは、軸方向の前面側および背面側（アダプタ２０側）が開口しており、ケース１０ａの背面側には当該ケース１０ａをアダプタ２０に装着するためのコネクタ５５が設けられている。本体部１０のアダプタ２０に対する装着方法については後述する。
【００２９】
コネクタ５５を取り囲むケース１０ａの外周面には、ケース１０ａの周方向の全周にわたって吸気口４０が形成されており、吸気口４０の内面側にはフィルタ５１が着脱可能に備えられている。
【００３０】
吸気口４０はケース１０ａにおける前面側の開口である通気口４２と連通している。すなわち、ケース１０ａ内には、吸気口４０と通気口４２とを接続する通風路４１が形成されている。
【００３１】
また、通風路４１には、ファン５３が設けられている。ファン５３は、軸流ファンであり、通風路４１の中心軸上に位置するようにケース１０ａの内壁に支持されている。なお、図３に示した矢印は、ファン５３を回転駆動させたときの空気の流れ方向を示している。
【００３２】
ファン５３が回転駆動されると、ケース１０ａの周囲の空気が吸気口４０からケース１０ａ内に吸い込まれ、通風路４１の入口で流れ方向が半径方向から軸方向に変換され、通風路４１を通って通気口４２の出口側へ導風される。
【００３３】
イオン発生器５２は、２組の放電電極と誘導電極とを有しており（いずれも図示せず）、これら各電極は樹脂製ケースに収容されている。また、樹脂製ケース内には、放電電極および誘導電極に高電圧を印加する高電圧発生回路が設けられている。また、イオン発生器５２は通風路４１に面するように配置されており、放電電極および誘導電極に高電圧が印加されると、これら両電極間に生じる放電によりプラズマクラスター（登録商標）イオンと称されるプラスイオンＨ＋（Ｈ２Ｏ）ｍ（ｍは任意の自然数）およびマイナスイオンＯ２−（Ｈ２Ｏ）ｎ（ｎは任意の自然数）が生成され、通風路４１を流れる空気中に放出される。
【００３４】
プラズマクラスターイオンは、除菌効果、脱臭効果、ウイルスの作用抑制効果、および静電気抑制効果を有していることが知られている。なお、イオン発生器５２は、空気中にプラズマクラスターイオン、あるいはマイナスイオンを放出することができるものであれば上記の構成に限るものではなく、従来から公知の構成を用いることができる。
【００３５】
照明装置６０は、複数の発光素子６２と、発光素子６２が搭載された実装板６１とを備えており、通風路４１の出口付近に配置されている。
【００３６】
図４は、ケース１０ａに装着された照明装置６０の構成を示す斜視図である。この図に示すように、実装板６１は、略円板状に形成された回路基板であり、ケース１０ａの前面側の開口部近傍に配置されている。実装板６１は実装板６１の外周部分が環状の実装部になっており、この実装部にＬＥＤからなる複数の発光素子６２が一定間隔で同一円周上に実装されている。また、実装部が通風路４１の出口の周縁にねじにより取り付けられている。実装部の前面側は透光性のカバー６３に覆われている。
【００３７】
また、実装板６１の中央には、複数の橋部６５により実装部に連結された円板状の島部６４が設けられている。島部６４には、情報を収集したり情報を発信したりするための各種電子部品が搭載されている。上記電子部品としては、例えば、室内の人の有無を検出する人感センサ、各種の情報を報知するＬＥＤなどの報知ランプ、照度センサ、臭いセンサなどがあげられる。本実施形態では、人感センサ６６および報知ランプ６７が島部６４に搭載されている。
【００３８】
橋部６５には、プリント配線が施されており、実装部と島部６４とはこのプリント配線を介して電気的に接続されている。また、島部６４および橋部６５は、非透光性のカバー６８に覆われている。カバー６８は島部６４および橋部６５を島部６４および橋部６５との間に隙間をあけて覆っており、ケース１０ａの内壁に取り付けられている。これらの隙間には風が流れるようになっている。
【００３９】
実装板６１における実装部の内側の周縁は通風路４１に面している。また、実装板６１の一部である橋部６５および島部６４は通風路４１内に位置し、通風路４１内に突き出ている。
【００４０】
また、実装板６１における実装部と島部６４との間には、橋部６５によって仕切られた複数の開口部からなる通気口４２が形成されている。通気口４２は通風路４１に連通しており、この通気口４２がイオンを吹き出すためのケース１０ａの吹出口として機能する。
【００４１】
イオン発生器５２で発生したイオンは、ファン５３の送風により通風路４１を出口に向かって運ばれ、実装板６１の通気口４２からイオン発生装置１００の外部に放出される。
【００４２】
また、複数の通気口４２を取り囲むように配置された発光素子６２は、制御装置（図示せず）の制御に応じて発光し、それによってイオン発生装置１００の前方が照明される。なお、本実施形態では、イオンが吹き出される方向と照明装置６０からの光の照射方向（照明方向）とを同一方向としており、照明される領域に向けてイオンが放出されるようになっている。ただし、これに限らず、照明装置６０の照明方向とイオンの放出方向とが異なっていてもよい。
【００４３】
通風路４１の側壁にはメイン基板５４が設けられている。メイン基板５４には、ＣＰＵなどから構成される制御装置、および各装置に電源を供給する電源装置などが搭載されている（いずれも図示せず）。メイン基板５４と実装板６１とはリード線（図示せず）により電気的に接続されている。制御装置は、ユーザから入力される指示や各種センサの検知結果等に応じて、イオン発生装置１００の各部の動作を制御する。
【００４４】
（１−２．本体部１０におけるアダプタ２０に対する装着部の構成）
図５は本体部１０とアダプタ２０との接続部の側面図であり、図６は本体部１０におけるアダプタ２０との接続面を示す斜視図である。
【００４５】
図６に示したように、本体部１０におけるアダプタ２０との接続面にはアダプタ２０と対向するように配置されたコネクタ５５が設けられている。
【００４６】
コネクタ５５におけるアダプタ２０との対向面には、アダプタ２０側に突出する２本の引掛刃７１と、ロック部材（ロック機構）７３とが設けられている。また、コネクタ５５の側面におけるケース１０ａの外側に露出した部分には、隠しスイッチ（解除部材）７２が設けられている。
【００４７】
引掛刃７１は、コネクタ５５からアダプタ２０側に突出する根元部と、根元部の先端から本体部１０の径方向外側に折り曲げられた先端部とを備えている。これら両引掛刃７１をアダプタ２０における本体部１０との対向面に設けられた引掛穴（図示せず）に差し込み、本体部１０をアダプタ２０に対して図６に示した矢印Ａ方向に回転させることにより、本体部１０がアダプタ２０に装着される。
【００４８】
隠しスイッチ７２は、コネクタ５５に設けられた微小開口の孔内に設けられており、この微小開口に細長いピン状の部材（あるいは専用工具）を挿入することにより押下操作される。上記微小開口は、人間の指や爪を挿入することができず、細長いピン状の部材（あるいは専用工具）を挿入しなければ隠しスイッチ７２を操作することができないサイズ（例えば１ｍｍ〜５ｍｍ程度）に形成されている。なお、隠しスイッチ７２を押下操作すると、ロック部材７３がコネクタ５５内（コネクタ５５におけるアダプタ２０との対向面よりも本体部１０側）に収容されるようになっている。
【００４９】
ロック部材７３は、バネ等の付勢部材（図示せず）によりアダプタ２０側に付勢されている。また、ロック部材７３における本体部１０の周方向の一方の面は周方向に沿って傾斜した傾斜面７３ａになっており、他方の面は軸方向に略平行な垂直面７３ｂになっている。これにより、引掛刃７１をアダプタ２０の引掛穴に挿入したときにロック部材７３はアダプタ２０に当接してコネクタ５５におけるアダプタ２０との対向面内に押し込まれ、本体部１０をアダプタ２０に対して回転可能になる。
【００５０】
そして、本体部１０を図６に示した矢印Ａ方向（本体部１０をアダプタ２０に取り付けるための回転方向）に沿って所定の取付位置まで回転させると、アダプタ２０における本体部１０との対向面に設けられた、当該ロック部材７３に応じた形状を有する収容部（図示せず）に収容される。この際、ロック部材７３は、上記の所定の取付位置において、コネクタ５５におけるアダプタ２０との対向面からアダプタ２０側に突出した状態で上記収容部に収容される。また、この状態では、ロック部材７３における垂直面７３ｂがアダプタ２０における上記収容部の内壁に当接し、本体部１０をアダプタ２０に対して矢印Ｂ方向（本体部１０をアダプタ２０から取り外すための回転方向）に回転させることができないロック状態に保持される。したがって、この状態では、引掛刃７１を引掛穴から取り外すことができず、本体部１０をアダプタ２０から取り外せなくなる。
【００５１】
本体部１０をアダプタ２０から取り外すときには、隠しスイッチ７２が設けられている微小開口に細長いピン状の部材（あるいは専用工具）を挿入して隠しスイッチ７２を押下操作し、ロック部材７３をコネクタ５５におけるアダプタ２０との対向面よりも本体部１０内に収容させた状態（ロックを解除した状態）で本体部１０をアダプタ２０に対して矢印Ｂ方向に回転させる。これにより、引掛刃７１を引掛穴から取り外し、本体部１０をアダプタ２０から取り外すことができる。
【００５２】
（１−３．実施形態１のまとめ）
以上のように、本実施形態にかかるイオン発生装置１００は、被設置面に取り付けられるアダプタ２０と、アダプタ２０に着脱可能に装着される本体部１０と、本体部１０のアダプタ２０からの取り外し動作を阻害するロック部材７３と、上記ロック部材７３による上記取り外し動作の阻害を解除するための隠しスイッチ７２とを備えている。
【００５３】
これにより、隠しスイッチ７２の存在を知らない第３者が本体部１０をアダプタ２０から取り外すことができなくなるので、イオン発生装置１００（あるいは本体部１０）が盗難被害に遭うことを防止できる。
【００５４】
なお、隠しスイッチ７２は、押下操作する構成に限らず、微小開口に差し込んだ工具を回転操作することによりロック部材７３をコネクタ５５におけるアダプタ２０との対向面内に収容させる構成であってもよい。また、ロック状態を解除するためには特殊工具（例えば先端形状が＋形状や−形状とは異なる特殊形状であるドライバなど）を用いる必要がある構成としてもよい。
【００５５】
また、ロック部材７３の構成（例えば形状、設置個数、設置位置等）は、上述した構成に限るものではなく、隠しスイッチ７２が操作されていないときに本体部１０をアダプタ２０から取り外せなくなる一方、隠しスイッチ７２を操作することにより本体部１０をアダプタ２０から取り外し可能になる構成であればよい。
【００５６】
また、コネクタ５５に、隠しスイッチ７２が設けられている微小開口に加えて、隠しスイッチ７２とは無関係の他の微小開口（ダミー微小開口）を設けてもよい。これにより、第３者によって隠しスイッチ７２が操作されて本体部１０がアダプタ２０から取り外されることをより確実に防止することができる。
【００５７】
また、本実施形態では、アダプタ２０をアングル部材３１および取付部材３０によって被設置面に固定する構成について説明したが、これに限るものではない。例えば、アングル部材３１に代えて、棒状、板状、ワイヤ状、あるいはチェーン状の部材を用いてもよい。
【００５８】
また、本実施形態では、リング状の取付部材３０を被設置面に固定し、取付部材３０とアダプタ２０とをアングル部材３１で接続する構成について説明したが、これに限るものではない。例えば、取付部材３０を省略し、アングル部材３１を被設置面に直接固定してもよい。
【００５９】
また、本実施形態では、本発明を被設置面に設けられたソケットに装着される照明機能とイオン発生機能とを備えたイオン発生装置１００に適用する場合の例について説明したが、本発明の適用対象はこれに限るものではない。例えば、照明機能またはイオン発生機能の一方のみを備えた電気器具に適用してもよく、照明機能およびイオン発生機能とは異なる機能を備えた電気器具に適用してもよい。
【００６０】
また、本実施形態では、イオン発生装置１００が細長い略円筒形状である例について説明したが、これに限るものではなく、本発明は、例えば円盤状、角柱上、円錐状など、多様な形状の電気器具に適用できる。
【００６１】
〔実施形態２〕
本発明の他の実施形態について説明する。なお、説明の便宜上、実施形態１と同じ機能を有する部材には同じ符号を付し、その説明を省略する。
【００６２】
図７の（ａ）は本実施形態にかかるイオン発生装置１００の上面図であり、（ｂ）はイオン発生装置１００の要部の側面図であり、（ｃ）はイオン発生装置１００の底面図である。
【００６３】
図７の（ｂ）に示したように、本実施形態にかかるイオン発生装置１００は、本体部１０におけるコネクタ５５の外周面の一部にリブ８０を備えている。
【００６４】
リブ８０は、コネクタ５５の外周面から本体部１０の径方向外側に突出しており、先端がアダプタ２０側に折れ曲がっている。また、リブ８０の先端部近傍には穴部８１が設けられている。
【００６５】
穴部８１は、本体部１０がアダプタ２０に装着された状態において、アダプタ２０に設けられたリブ２２の接続穴２２ａの１つと連通する位置に配置されている。
【００６６】
そして、本実施形態では、本体部１０をアダプタ２０に装着したときに、本体部１０に設けられたリブ８０の穴部８１とアダプタ２０に設けられたリブ２２の接続穴２２ａとを錠（施錠部材）８２によって施錠する。錠８２はイオン発生装置１００の所有者あるいは管理者以外の第３者（本体部１０の取り外し権限を有していない者）が開錠できないものであれば特に限定されるものではない。例えば、鍵８２は、鍵穴に鍵を差し入れて開錠するものであってもよく、暗証番号を入力することにより開錠するものであってもよく、所定のリモコン等を操作することにより開錠するものであってもよく、生体認証により開錠するものであってもよい。
【００６７】
このように、本体部１０とアダプタ２０とを錠８２により施錠することにより、本体部１０が盗難されるリスクをより低減することができる。
【００６８】
なお、本実施形態では、実施形態１と同様、隠しスイッチ７２を備えているが、これに限らず、例えば容易に視認可能なスイッチによりロック部材７３によるロックを解除できる構成としてもよい。
【００６９】
また、本実施形態では、本体部１０とアダプタ２０とを錠８２により施錠する構成について説明したが、これに限らず、例えば専用の特殊工具（例えば先端形状が＋形状や−形状とは異なる特殊形状であるドライバなど）を用いなければ取り外しができない特殊ネジにより本体部１０とアダプタ２０とを接続してもよい。
【００７０】
また、本実施形態では、アダプタ２０のリブ２２と本体部１０のリブ８０との接続部を錠８２で施錠する構成について説明したが、これに限るものではない。例えば、本体部１０とアダプタ２０とをワイヤ、チェーン、あるいはアングル部材等により接続し、その接続部を錠８２により施錠するようにしてもよい。また、アダプタ２０と取付部材３０とをワイヤ、チェーン、あるいはアングル部材等により接続し、その接続部を錠８２により施錠するようにしてもよい。また、本体部１０と取付部材３０とをワイヤ、チェーン、あるいはアングル部材等により接続し、その接続部を錠８２により施錠するようにしてもよい。また、本体部１０とアダプタ２０と取付部材３０とをワイヤ、チェーン、あるいはアングル部材等により接続し、これら各部材の接続部を錠８２により施錠するようにしてもよい。
【００７１】
また、本実施形態では、リブ８０と鍵８２とを各１つ備える構成について説明したが、これに限らず、例えばリブ８０を複数設けるとともに、各リブ８０に対応して備えられる鍵８２によりそれぞれのリブ８０を施錠するようにしてもよい。
【００７２】
〔実施形態３〕
本発明の他の実施形態について説明する。なお、説明の便宜上、上述した実施形態と同じ機能を有する部材には同じ符号を付し、その説明を省略する。
【００７３】
図８は、本実施形態にかかるイオン発生装置１００の構成を示す斜視図である。
【００７４】
上述した各実施形態では、アングル部材３１の一端側を取付部材３０に取り付け、他端側をアダプタ２０に取り付けることにより、取付部材３０とアダプタ２０とを接続する構成について説明した。
【００７５】
これに対して、本実施形態では、図８に示すように、アングル部材３１が取付部材３０に一体化されている。これにより、アダプタ２０および本体部１０を取付部材３０およびアングル部材３１によってより安定的に支持することができる。
【００７６】
また、アングル部材３１にはアダプタ２０の軸方向に沿って複数の接続穴３１ａが設けられており、アダプタ２０に設けられたリブ２２にもアダプタ２０の軸方向に沿って複数の接続穴２２ａが設けられている。そして、それら複数の接続穴３１ａのうちのいずれかと複数の接続穴２２ａのうちのいずれかとをネジ等で取り付ける。これにより、取付部材３０に対するアダプタ２０の相対位置を容易に調整することができる。
【００７７】
なお、本実施形態では、アングル部材３１が取付部材３０と一体化されている構成について説明したが、これに限るものではない。例えば、アングル部材３１をアダプタ２０と一体化させてもよく、アングル部材３１をアダプタ２０および取付部材３０の両方と一体化させてもよい。
【００７８】
〔実施形態４〕
本発明の他の実施形態について説明する。なお、説明の便宜上、上述した実施形態と同じ機能を有する部材には同じ符号を付し、その説明を省略する。
【００７９】
図９は本実施形態にかかるイオン発生装置１００の側面図であり、（ａ）に口金変換アダプタ９０を装着する前の状態、（ｂ）は口金変換アダプタ９０を装着した状態を示している。口金変換アダプタ９０が装着されている点以外は実施形態１と同様の構成である。
【００８０】
口金変換アダプタ９０は、イオン発生装置１００の口金２１に装着されることにより、口金のサイズを被設置面に取り付けられたソケットに応じたサイズに変換する。本実施形態では、口金変換アダプタ９０は、Ｅ２６型の口金２１に装着されてソケットに対する取り付け部をＥ１７型の口金に変換する。
【００８１】
従来、被設置面に取り付けられたソケットのサイズが小口径である場合（例えばＥ１７型以下のサイズである場合）、耐荷重が小さいため、イオン発生装置等の電球よりも重量が重い電気機器を安定的に取り付けることが困難であった。
【００８２】
これに対して、本実施形態では、取付部材３０を被設置面に取り付け、取付部材３０とアダプタ２０とをアングル部材３１で接続することにより、ソケットと口金のみでイオン発生装置１００を被設置面に取り付ける場合よりも耐荷重特性を向上させることができる。
【００８３】
これにより、図９に示したように、被設置面に取り付けられたソケットのサイズが小口径あっても、イオン発生装置１００を被設置面に安全に取り付けることができる。
【００８４】
〔まとめ〕
本発明の態様１にかかる電気器具（イオン発生装置１００）は、被設置面に設けられた被装着部に接続される装着部（口金２１）を備えた電気器具（イオン発生装置１００）であって、前記装着部を有するアダプタ２０と、前記アダプタ２０を前記被設置面に固定する取付部材３０と、前記アダプタ２０に着脱可能に装着される本体部１０と、前記本体部１０と前記アダプタ２０との間、および前記本体部１０と前記取付部材３０との間のうちの少なくとも一方を施錠する施錠部材（鍵８２）とを備えている構成である。
【００８５】
上記の構成によれば、前記本体部１０と前記アダプタ２０との間、および前記本体部１０と前記取付部材３０との間のうちの少なくとも一方を施錠部材（鍵８２）により施錠することにより、電気器具（イオン発生装置１００）が盗難されるリスクを低減することができる。
【００８６】
本発明の態様２にかかる電気器具（イオン発生装置１００）は、上記態様１において、前記取付部材３０は、前記アダプタ２０を支持する支持部材としての機能を有している構成である。
【００８７】
上記の構成によれば、被設置面に取り付けられた取付部材３０によってアダプタ２０を支持することができるので、被装着部に装着された装着部（口金２１）のみで電気器具（イオン発生装置１００）を支持する構成よりも、電気器具（イオン発生装置１００）を安定して支持することができる。
【００８８】
本発明の態様３にかかる電気器具（イオン発生装置１００）は、上記態様２において、前記装着部（口金２１）は口金であり、前記被装着部は前記口金が装着されるソケットである構成である。
【００８９】
上記の構成によれば、ソケットに装着された口金のみで電気器具（イオン発生装置１００）を支持する構成よりも、電気器具（イオン発生装置１００）を安定して支持することができる。また、従来は強度不足のために電気器具（イオン発生装置１００）を装着できなかった小口径のソケットであっても、当該ソケットを用いて電気器具（イオン発生装置１００）を装着し、安定して支持させることができる。
【００９０】
本発明の態様４にかかる電気器具（イオン発生装置１００）は、上記態様３において、前記被装着部は、前記装着部（口金２１）の口金よりも小口径のソケットであり、前記装着部（口金２１）は口金のサイズを変換するための口金変換アダプタ９０を介して前記被装着部に装着される構成である。
【００９１】
上記の構成によれば、従来は強度不足のために電気器具（イオン発生装置１００）を装着できなかった小口径のソケットであっても、当該ソケットを用いて電気器具（イオン発生装置１００）を装着し、安定して支持させることができる。
【００９２】
本発明の態様５にかかる電気器具（イオン発生装置１００）は、上記態様１から４のいずれかにおいて、前記取付部材３０は、被設置面に取り付けられる取付部（リング部材３３）と、前記取付部（リング部材３３）と前記アダプタ２０とを接続する接続部（アングル部材３１）とを備えており、前記接続部（アングル部材３１）は、前記取付部（リング部材３３）に固定されているか、あるいは前記取付部（リング部材３３）と一体的に形成されている構成である。
【００９３】
上記の構成によれば、電気器具（イオン発生装置１００）を安定して支持することができる。
【００９４】
本発明の態様６にかかる電気器具（イオン発生装置１００）は、被設置面に設けられた被装着部に接続される装着部（口金２１）を備えた電気器具（イオン発生装置１００）であって、前記装着部（口金２１）を有するアダプタ２０と、前記アダプタ２０を前記被設置面に固定する取付部材３０と、前記アダプタ２０に着脱可能に装着される本体部１０と、前記本体部１０を前記アダプタ２０から取り外せないロック状態に保持するロック機構（ロック部材７３）と、前記ロック状態を解除する解除部材（隠しスイッチ７２）とを備え、前記解除部材（隠しスイッチ７２）は、人間の指の太さよりも小口径の孔内に設けられた隠しスイッチであることを特徴としている。
【００９５】
上記の構成によれば、アダプタ２０が取付部材３０によって被設置面に固定されており、本体部１０がロック機構（ロック部材７３）によってアダプタ２０から取り外せないロック状態に保持されており、ロック機構（ロック部材７３）によるロック状態を解除するための解除部材（隠しスイッチ７２）が隠しスイッチになっている。これにより、解除部材（隠しスイッチ７２）の存在を知らない第３者によって本体部１０がアダプタ２０から取り外されることを防止し、電気器具（イオン発生装置１００）が盗難されることを防止することができる。
【００９６】
本発明の態様７にかかる電気器具（イオン発生装置１００）は、上記態様６において、前記本体部１０と前記アダプタ２０との間、および前記本体部１０と前記取付部材３０との間のうちの少なくとも一方を施錠する施錠部材（鍵８２）を備えている構成である。
【００９７】
上記の構成によれば、前記本体部１０と前記アダプタ２０との間、および前記本体部１０と前記取付部材３０との間のうちの少なくとも一方を施錠部材（鍵８２）により施錠することにより、電気器具（イオン発生装置１００）が盗難されるリスクをさらに低減することができる。
【００９８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９９】
本発明は、天井、壁、床、各種装置等に設けられた被装着部に装着される電気器具に適用できる。
【符号の説明】
【０１００】
１０  本体部
１０ａ  ケース
２０  アダプタ
２１  口金（装着部）
２２  リブ
２２ａ  接続穴
３０  取付部材
３１  アングル部材（接続部）
３１ａ  接続穴
３２  取付穴
３３  リング部材（取付部）
３４  リブ
４０  吸気口
４１  通風路
４２  通気口
５１  フィルタ
５２  イオン発生器
５３  ファン
５４  メイン基板
５５  コネクタ
６０  照明装置
６１  実装板
６２  発光素子
６３  カバー
６４  島部
６５  橋部
６６  人感センサ
６７  報知ランプ
６８  カバー
７１  引掛刃
７２  隠しスイッチ（解除部材）
７３  ロック部材（ロック機構）
７３ａ  傾斜面
７３ｂ  垂直面
８０  リブ
８１  穴部
８２  鍵（施錠部材）
９０  口金変換アダプタ
１００  イオン発生装置（電気器具）
【図１】
0006479568.tif 000002
【図２】
0006479568.tif 000003
【図３】
0006479568.tif 000004
【図４】
0006479568.tif 000005
【図５】
0006479568.tif 000006
【図６】
0006479568.tif 000007
【図７】
0006479568.tif 000008
【図８】
0006479568.tif 000009
【図９】
0006479568.tif 000010